(57)【要約】【課題】  不適切な表示により使用者を困惑させることのないような重量計測装置を提供する。【解決手段】  制御部７は、計測部６により計測した重量に基づき計測物の成分量を演算して表示部３に表示させる。しかし使用者が容器ごと載置部１から計測物を外したときに、制御部７は、演算処理上において重量の計測結果が負の数になり、かつ成分量の演算結果が負の数になる場合には、表示部３に不適切な演算結果となったことを表示させる。【選択図】図３
2017215279.tif 000002
【特許請求の範囲】
【請求項１】
計測物を載置する載置部と、
前記載置部に載置された計測物の重量を計測する計測部と、
前記計測物の重量の計測結果と前記計測物に含まれる特定成分の量の演算結果を表示する表示部とを備え、
前記計測物の容器の重量を差し引いて前記計測物の重量の計測結果を前記表示部に表示させる風袋引き処理と、
前記計測物の重量の計測結果に基づいて前記特定成分の量を演算する特定成分量演算と、
前記特定成分の量の演算結果が負の数になる場合には前記表示部に不適切な演算結果になったことを表示させる表示処理と、
を行う制御部を備えたことを特徴とする重量計測装置。
【請求項２】
前記制御部が、前記特定成分の量の演算結果が負の数になる場合に、前記表示部に表示する不適切な演算結果になったことの表示として、ゼロを表示させるよう制御することを特徴とする請求項１記載の重量計測装置。
【請求項３】
前記制御部が、前記特定成分の量の演算結果が負の数になる場合に、前記表示部に表示する不適切な演算結果になったことの表示として、不適と表示させるよう制御することを特徴とする請求項１記載の重量計測装置。
【請求項４】
前記制御部が、前記特定成分の量の演算結果が負の数になる場合に、前記表示部に表示する不適切な演算結果になったことの表示として、複数のハイフンを横並びに表示させるよう制御することを特徴とする請求項１記載の重量計測装置。
【発明の詳細な説明】
【技術分野】
【０００１】
本発明は、物の重量を計測し、計測結果を基に計測物が含む特定成分に係る量を演算して表示する重量計測装置に関する。
【背景技術】
【０００２】
重量計測装置において、特定の種類の物の重量とその物が含む特定成分の量との関係式を記憶しておき、物の重量の計測結果に基づいて特定成分の量を演算して表示することができるようにした構成の物が存在する。
【０００３】
たとえば、特許文献１には、食品の重量を計測し、この計測結果から食品の成分量を演算し表示する重量計測装置が記載されている。具体的には、ごはんの重量から熱量を演算する技術について記載がある。
【０００４】
ところで、通常、ごはんのように粘つく物は容器に入れた状態で重量計測装置に載せるため、特許文献１では容器の重量を差し引く、いわゆる風袋引きをして、ごはんの重量を計測し、その計測結果から熱量を演算するような技術を備えていると推測される。
【先行技術文献】
【特許文献】
【０００５】
【特許文献１】特開２０１３−１４００９２号公報
【発明の概要】
【発明が解決しようとする課題】
【０００６】
特許文献１に直接の記載はないが、風袋引きをしてその計測結果から成分量を演算して表示する技術において、容器ごと計測物を重量計測装置から外すと、特別な処理をしなければ、通常、成分量の演算結果が負の数として表示されることになる。
【０００７】
しかし、上記のように、特定成分の量が負の数で表示されるということは、記憶された重量と特定成分の量の関係式において、適用されるべき種類の物でない容器の重量に基づいて、特定成分の量が演算されていることになる。また、計測物が含む特定成分の量が負の値になることはありえない。
【０００８】
上記のように計測物が含む特定成分の量が負の値になることはありえず、従って、このように特定成分の量が負の数として表示されることは正しくなく、不明瞭な表示により重量計測装置の使用者を困惑させてしまう。
【０００９】
そこで、本発明は、上記の問題を解消し、実際にはあり得ない表示をして、使用者が困惑することがない重量計測装置を提供することを目的とする。
【課題を解決するための手段】
【００１０】
本発明に係る請求項１記載の重量計測装置は、計測物を載置する載置部と、前記載置部に載置された計測物の重量を計測する計測部と、前記計測物の重量の計測結果と前記計測物に含まれる特定成分の量の演算結果を表示する表示部とを備え、前記計測物の容器の重量を差し引いて前記計測物の重量の計測結果を前記表示部に表示させる風袋引き処理と、前記計測物の重量の計測結果に基づいて前記特定成分の量を演算する特定成分量演算と、前記特定成分の量の演算結果が負の数になる場合には前記表示部に不適切な演算結果になったことを表示させる表示処理と、を行う制御部を備えたことを特徴とする。
【００１１】
本発明に係る請求項２記載の重量計測装置は、前記制御部が、前記特定成分の量の演算結果が負の数になる場合に、前記表示部に表示する不適切な演算結果になったことの表示として、ゼロを表示させるよう制御することを特徴とする。
【００１２】
本発明に係る請求項３記載の重量計測装置は、前記制御部が、前記特定成分の量の演算結果が負の数になる場合に、前記表示部に表示する不適切な演算結果になったことの表示として、不適と表示させるよう制御することを特徴とする。
【００１３】
本発明に係る請求項４記載の重量計測装置は、前記制御部が、前記特定成分の量の演算結果が負の数になる場合に、前記表示部に表示する不適切な演算結果になったことの表示として、複数のハイフンを横並びに表示させるよう制御することを特徴とする。
【発明の効果】
【００１４】
容器の重量を差し引いて計測物の重量を計測し、計測結果を基に特定成分の量を演算する途中において、容器ごと計測物を載置部から外した場合、演算上は量の測定結果が負の数になるが、本発明の重量測定装置によれば、特定成分の量が演算上では負の数となっても、量が負の数となるという不明瞭な表示をせずに、不適切な演算結果になったことを表示することにより、使用者を困惑させることを防ぐことができる。
【図面の簡単な説明】
【００１５】
【図１】本発明の実施形態の平面図
【図２】本発明の実施形態の底面図
【図３】本発明の実施形態に設けられている計測・制御系のブロック図
【図４】本発明の実施形態の使用時に実行される処理手順の前半を示すフローチャート
【図５】本発明の実施形態の使用時に実行される処理手順の後半を示すフローチャート
【図６】本発明の実施形態のはかりモードでの使用状態の一連の流れと表示画面の形態を示す図
【図７】本発明の実施形態のごはんモードでの使用状態の一連の流れと表示画面の形態を示す図
【図８】本発明の実施形態のごはんモードでの他の使用状態の一連の流れと表示画面の形態を示す図
【発明を実施するための形態】
【００１６】
以下、本発明の好適な実施形態を図面に基づいて説明する。
【００１７】
図１において、１は計測物が載置される載置部であり、この載置部１は本体ケース２の上部に設けられている。３は計測結果を表示するための表示部であり、４は電源のオンオフの操作と風袋引きの操作をする電源等操作ボタンである。
【００１８】
図２において、５は、本体ケース２の裏面側に設けられ、はかりモードとごはんモードを切り替えるための切り替えスイッチである。
【００１９】
図３は、計測・制御系のブロック図であり、６は、前記載置部１に載置された計測物の重量を計測する計測部であって、計測部６としては、従来から用いられているロードセル構造の物が使用される。
【００２０】
７は、制御部（マイクロチップ）であり、計測部６からの計測データを受けての重量演算と、風袋引き処理と、表示部３に対して表示データを送る表示処理と、ごはんモード時に、計測されたごはん（白米）の重量に基づいて熱量及び炭水化物量に変換演算する重量／熱量及び炭水化物量変換演算とを行う機能を有し、切り替えスイッチ５によるモードの切り替えなどを統括的に制御する。
【００２１】
また、制御部７は、ごはん（白米）の重量と熱量及び炭水化物量との関係式を演算式として格納したメモリー機能を備えている。
【００２２】
前記表示部３は、重量の計測値（ｇ）と制御部７における重量／熱量及び炭水化物量変換演算による熱量（ｋｃａｌ）及び炭水化物量（ｇ）の演算値を表示する液晶ディスプレイからなる。
【００２３】
以下、はかりモードとごはんモードの作用について説明する。
【００２４】
まず、図４と図５の処理手順全体を示すフローチャートと、図６の使用状態の一連の流れの図によって、はかりモードの作用について説明する。はかりモードでは対象物の重量の計測のみを行う。また、図４中の（Ａ）（Ｂ）（Ｃ）（Ｄ）は、それぞれ図５中の（Ａ）（Ｂ）（Ｃ）（Ｄ）につながっている。
【００２５】
図６（ａ）に示すように、切り替えボタン５を押すと、制御部７によって、はかりモードとごはんモードとが切り替わる（Ｓ１）。そして、図６（ｂ）に示すように、電源等操作ボタン４を押すと電源がオンになり（Ｓ２）、はかりモードでの計量が行われることになる（Ｓ３のＹＥＳ、Ｓ４）。載置部１に何も載っていない状態では、表示部３にはゼロ（０）の表示がされる。
【００２６】
図６（ｃ）に示すように、風袋引きをして重量を計測する場合には（Ｓ５のＹＥＳ）、まず載置部１に容器Ａのみを載せる（Ｓ６）。すると、容器Ａの重量が制御部７において重量演算によってデータに変換され、そのデータが表示処理されて、表示部３に表示(本例では９１．５g)される。次に、図６（ｄ）に示すように、電源等操作ボタン４を押すと（Ｓ７）、制御部７において風袋引き処理が行われ、容器Ａの重量を差し引いて重量の計測値が表示(この場合では、内容物がないので０g)される（Ｓ８）。
【００２７】
図６（ｅ）に示すように、例えばスプーンＳＰにより砂糖などの計測物ＳＧの一部を容器Ａに入れると（Ｓ９）、計測物ＳＧの一部の重量が制御部７において重量演算によってデータに変換され、そのデータが表示処理され、表示部３に表示(本例では９２．１g)される。このときに電源等操作ボタン４を押しても、制御部７において風袋引き処理が改めて行われることはなく、風袋引きで差し引く重量は変わらない（Ｓ１０）。
【００２８】
図６（ｆ）に示すように、容器Ａに計測物ＳＧの残り全てを入れると（Ｓ１１）、制御部７において計測物全ての重量が制御部７において重量演算によってデータに変換され、そのデータが表示処理され、表示部３に表示(本例では１６４．４g)される（Ｓ１２）。ここで電源等操作ボタン４を長押しすると、電源がオフとなる（Ｓ１３）。
【００２９】
なお、図６（ｇ）に示すように、図４のステップＳ５で風袋引きをせずに計測物を直接載置部１に載せると（Ｓ１４）、計測物ＯＲの重量が制御部７において重量演算によってデータに変換され、そのデータが表示処理され、表示部３に表示(本例では８２．７g)される（Ｓ１２）。
【００３０】
次に、図４と図５のフローチャートと、図７の使用状態の一連の流れの図によって、ごはんモードの作用について説明する。ごはんモードでは、まずごはん（白米）の重量を計測し、次に、ごはん（白米）の重量の計測値から熱量と炭水化物量を演算し、最後に前記ごはん（白米）の重量と熱量／炭水化物量が表示部３に表示される。
【００３１】
図７（ａ）に示すように、切り替えボタン５を押すと、制御部７によって、はかりモードとごはんモードとが切り替わる（Ｓ１）。図７（ｂ）に示すように、電源等操作ボタン４を押すと、ごはんモードで電源がオンになり（Ｓ２、Ｓ３のＮＯ、Ｓ１５）、載置部１に何も載っていない状態では、表示部３にはゼロの表示がされる。
【００３２】
まず、載置部１に容器Ｂのみを載せると、図７（ｃ）に示すように、容器Ｂの重量が制御部７おいて重量演算によってデータに変換され、そのデータが表示処理され、表示部３の右下に表示（本例では１１５ｇ）される（Ｓ１６）。
【００３３】
そして、図７（ｄ）に示すように、電源等操作ボタン４を押すと（Ｓ１７）、制御部７において風袋引き処理がなされ、容器Ｂの重量を差し引いた風袋引きによる重量の計測値が表示（本例では容器Ｂの重量を引いているのでゼロ「０」）される（Ｓ１８）。
【００３４】
ここで、図７（ｅ）に示すように、容器Ｂを載置部から外すと（Ｓ１９のＹＥＳ）、重量は負の表示となり、重量／熱量及び炭水化物量変換演算では熱量と炭水化物量は負の数となるが、制御部７において表示処理されて、負の表示を行わせずに、熱量と炭水化物量の表示は演算結果が不適切であることの表示（本例ではゼロ「０」）がされる（Ｓ２０）。
【００３５】
なお、演算結果が不適切であることの表示の例としては、ゼロ（０）、「不適」という文字、複数の横並びになっているハイフン（−−）などが挙げられる。
【００３６】
上記の状態から、図７（ｆ）に示すように、ごはんＲＣを容器Ｂに入れた後に（Ｓ２１）、容器Ｂを載置部１に載せると（Ｓ２２）、ごはん（白米）ＲＣの重量が制御部７において重量演算によってデータに変換され、そのデータを基に重量／熱量及び炭水化物量変換演算が行われる。
【００３７】
更に、上記重量のデータと上記演算結果のデータが表示処理され、ごはん（白米）ＲＣの重量（図７（ｆ）の右下：１６０ｇ）と熱量（図７（ｆ）の上：２６９ｋｃｌ）、炭水化物量（図７（ｆ）の左下：５９ｇ）が表示部３に表示される（Ｓ２３）。そして、電源等操作ボタン４を長押しすると電源がオフとなる（Ｓ１３）。
【００３８】
図４と図５のフローチャートと、図８の使用状態の一連の流れの図によって、容器Ｂを載置部から外さずにごはん（白米）ＲＣを容器Ｂに入れることを説明する。なお、この動作フローはステップ（Ｓ１９のＮＯ）からであって、ステップ（Ｓ１）〜（Ｓ３）、（Ｓ１５）〜（Ｓ１８）、図７（ａ）〜（ｄ）は既に説明したものと同様であって、説明は省略する。
【００３９】
すなわち、図８（ｅ）に示すように、しゃもじＳＨなどにより、計測するごはん（白米）ＲＣの一部を容器Ｂに入れると（Ｓ２４）、計測するごはん（白米）ＲＣの一部の重量が制御部７において重量演算によってデータに変換され、そのデータが重量／熱量及び炭水化物量変換演算される。
【００４０】
更に、上記重量のデータと上記演算結果のデータが表示処理され、重量（図８（ｅ）の右下：１４０ｇ）と熱量（図８（ｅ）の上：２３５ｋｃｌ）、炭水化物量（図７（ｆ）の左下：５１ｇ）が表示部３に表示され、このときに電源等操作ボタン４を押しても、制御部７において風袋引き処理が改めてなされることはなく、風袋引きで差し引く重量は変わらない（Ｓ２５）。
【００４１】
図８（ｆ）に示すように、計量するごはん（白米）ＲＣの残り全てを容器Ｂに入れると（Ｓ２６）、上記のごはん（白米）ＲＣの一部を入れたときと同様の手順で処理がなされ、計量するごはん（白米）ＲＣの重量（１６０ｇ）、熱量（２６９ｋｃｌ）、炭水化物量（５９ｇ）が表示部３に表示される（Ｓ２３）。
【００４２】
なお、前記実施形態における各部材の形状や配置設置などは、実施に際して仕様などに応じて適宜選択して決定する必要がある。
【産業上の利用可能性】
【００４３】
本発明は、各種の対象物の重量を計測して表示し、対象物の重量を基に対象物に属する各種の特定成分の量を演算し、表示する重量計測装置として有用である。
【符号の説明】
【００４４】
１      載置部
２      本体ケース
３      表示部
４      電源等操作ボタン
５      切換ボタン
６      計測部
７      制御部
Ａ、Ｂ  容器
ＳＧ    砂糖
ＳＰ    スプーン
ＯＲ    オレンジ
ＲＣ    ごはん（白米）
ＳＨ    しゃもじ
【図１】
2017215279.tif 000003
【図２】
2017215279.tif 000004
【図３】
2017215279.tif 000005
【図４】
2017215279.tif 000006
【図５】
2017215279.tif 000007
【図６】
2017215279.tif 000008
【図７】
2017215279.tif 000009
【図８】
2017215279.tif 000010
【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
計測物を載置する載置部と、
前記載置部に載置された計測物の重量を計測する計測部と、
前記計測物の重量の計測結果と前記計測物に含まれる特定成分の量の演算結果を表示する表示部とを備え、
前記計測物の容器の重量を差し引いて前記計測物の重量の計測結果を前記表示部に表示させる風袋引き処理と、
前記計測物の重量の計測結果に基づいて前記特定成分の量を演算する特定成分量演算と、
前記風袋引き処理と共に前記特定成分量演算が行われている際に、前記特定成分の量の演算結果が負の数になる場合には前記表示部に不適切な演算結果になったこととしてゼロ以外を表示させる表示処理と、
を行う制御部を備えたことを特徴とする重量計測装置。
【請求項２】
前記制御部が、前記特定成分の量の演算結果が負の数になる場合に、前記表示部に表示する不適切な演算結果になったことの表示として、不適と表示させるよう制御することを特徴とする請求項１記載の重量計測装置。
【請求項３】
前記制御部が、前記特定成分の量の演算結果が負の数になる場合に、前記表示部に表示する不適切な演算結果になったことの表示として、複数のハイフンを横並びに表示させるよう制御することを特徴とする請求項１記載の重量計測装置。
【手続補正２】
【補正対象書類名】明細書
【補正対象項目名】全文
【補正方法】変更
【補正の内容】
【発明の詳細な説明】
【技術分野】
【０００１】
本発明は、物の重量を計測し、計測結果を基に計測物が含む特定成分に係る量を演算して表示する重量計測装置に関する。
【背景技術】
【０００２】
重量計測装置において、特定の種類の物の重量とその物が含む特定成分の量との関係式を記憶しておき、物の重量の計測結果に基づいて特定成分の量を演算して表示することができるようにした構成の物が存在する。
【０００３】
たとえば、特許文献１には、食品の重量を計測し、この計測結果から食品の成分量を演算し表示する重量計測装置が記載されている。具体的には、ごはんの重量から熱量を演算する技術について記載がある。
【０００４】
ところで、通常、ごはんのように粘つく物は容器に入れた状態で重量計測装置に載せるため、特許文献１では容器の重量を差し引く、いわゆる風袋引きをして、ごはんの重量を計測し、その計測結果から熱量を演算するような技術を備えていると推測される。
【先行技術文献】
【特許文献】
【０００５】
【特許文献１】特開２０１３−１４００９２号公報
【発明の概要】
【発明が解決しようとする課題】
【０００６】
特許文献１に直接の記載はないが、風袋引きをしてその計測結果から成分量を演算して表示する技術において、容器ごと計測物を重量計測装置から外すと、特別な処理をしなければ、通常、成分量の演算結果が負の数として表示されることになる。
【０００７】
しかし、上記のように、特定成分の量が負の数で表示されるということは、記憶された重量と特定成分の量の関係式において、適用されるべき種類の物でない容器の重量に基づいて、特定成分の量が演算されていることになる。また、計測物が含む特定成分の量が負の値になることはありえない。
【０００８】
上記のように計測物が含む特定成分の量が負の値になることはありえず、従って、このように特定成分の量が負の数として表示されることは正しくなく、不明瞭な表示により重量計測装置の使用者を困惑させてしまう。
【０００９】
そこで、本発明は、上記の問題を解消し、実際にはあり得ない表示をして、使用者が困惑することがない重量計測装置を提供することを目的とする。
【課題を解決するための手段】
【００１０】
本発明に係る請求項１記載の重量計測装置は、計測物を載置する載置部と、前記載置部に載置された計測物の重量を計測する計測部と、前記計測物の重量の計測結果と前記計測物に含まれる特定成分の量の演算結果を表示する表示部とを備え、前記計測物の容器の重量を差し引いて前記計測物の重量の計測結果を前記表示部に表示させる風袋引き処理と、前記計測物の重量の計測結果に基づいて前記特定成分の量を演算する特定成分量演算と、前記風袋引き処理と共に前記特定成分量演算が行われている際に、前記特定成分の量の演算結果が負の数になる場合には前記表示部に不適切な演算結果になったこととしてゼロ以外を表示させる表示処理と、を行う制御部を備えたことを特徴とする。
【００１１】
本発明に係る請求項２記載の重量計測装置は、前記制御部が、前記特定成分の量の演算結果が負の数になる場合に、前記表示部に表示する不適切な演算結果になったことの表示として、不適と表示させるよう制御することを特徴とする。
【００１２】
本発明に係る請求項３記載の重量計測装置は、前記制御部が、前記特定成分の量の演算結果が負の数になる場合に、前記表示部に表示する不適切な演算結果になったことの表示として、複数のハイフンを横並びに表示させるよう制御することを特徴とする。
【発明の効果】
【００１３】
容器の重量を差し引いて計測物の重量を計測し、計測結果を基に特定成分の量を演算する途中において、容器ごと計測物を載置部から外した場合、演算上は量の測定結果が負の数になるが、本発明の重量測定装置によれば、特定成分の量が演算上では負の数となっても、量が負の数となるという不明瞭な表示をせずに、不適切な演算結果になったことを表示することにより、使用者を困惑させることを防ぐことができる。
【図面の簡単な説明】
【００１４】
【図１】本発明の実施形態の平面図
【図２】本発明の実施形態の底面図
【図３】本発明の実施形態に設けられている計測・制御系のブロック図
【図４】本発明の実施形態の使用時に実行される処理手順の前半を示すフローチャート
【図５】本発明の実施形態の使用時に実行される処理手順の後半を示すフローチャート
【図６】本発明の実施形態のはかりモードでの使用状態の一連の流れと表示画面の形態を示す図
【図７】本発明の実施形態のごはんモードでの使用状態の一連の流れと表示画面の形態を示す図
【図８】本発明の実施形態のごはんモードでの他の使用状態の一連の流れと表示画面の形態を示す図
【発明を実施するための形態】
【００１５】
以下、本発明の好適な実施形態を図面に基づいて説明する。
【００１６】
図１において、１は計測物が載置される載置部であり、この載置部１は本体ケース２の上部に設けられている。３は計測結果を表示するための表示部であり、４は電源のオンオフの操作と風袋引きの操作をする電源等操作ボタンである。
【００１７】
図２において、５は、本体ケース２の裏面側に設けられ、はかりモードとごはんモードを切り替えるための切り替えスイッチである。
【００１８】
図３は、計測・制御系のブロック図であり、６は、前記載置部１に載置された計測物の重量を計測する計測部であって、計測部６としては、従来から用いられているロードセル構造の物が使用される。
【００１９】
７は、制御部（マイクロチップ）であり、計測部６からの計測データを受けての重量演算と、風袋引き処理と、表示部３に対して表示データを送る表示処理と、ごはんモード時に、計測されたごはん（白米）の重量に基づいて熱量及び炭水化物量に変換演算する重量／熱量及び炭水化物量変換演算とを行う機能を有し、切り替えスイッチ５によるモードの切り替えなどを統括的に制御する。
【００２０】
また、制御部７は、ごはん（白米）の重量と熱量及び炭水化物量との関係式を演算式として格納したメモリー機能を備えている。
【００２１】
前記表示部３は、重量の計測値（ｇ）と制御部７における重量／熱量及び炭水化物量変換演算による熱量（ｋｃａｌ）及び炭水化物量（ｇ）の演算値を表示する液晶ディスプレイからなる。
【００２２】
以下、はかりモードとごはんモードの作用について説明する。
【００２３】
まず、図４と図５の処理手順全体を示すフローチャートと、図６の使用状態の一連の流れの図によって、はかりモードの作用について説明する。はかりモードでは対象物の重量の計測のみを行う。また、図４中の（Ａ）（Ｂ）（Ｃ）（Ｄ）は、それぞれ図５中の（Ａ）（Ｂ）（Ｃ）（Ｄ）につながっている。
【００２４】
図６（ａ）に示すように、切り替えボタン５を押すと、制御部７によって、はかりモードとごはんモードとが切り替わる（Ｓ１）。そして、図６（ｂ）に示すように、電源等操作ボタン４を押すと電源がオンになり（Ｓ２）、はかりモードでの計量が行われることになる（Ｓ３のＹＥＳ、Ｓ４）。載置部１に何も載っていない状態では、表示部３にはゼロ（０）の表示がされる。
【００２５】
図６（ｃ）に示すように、風袋引きをして重量を計測する場合には（Ｓ５のＹＥＳ）、まず載置部１に容器Ａのみを載せる（Ｓ６）。すると、容器Ａの重量が制御部７において重量演算によってデータに変換され、そのデータが表示処理されて、表示部３に表示(本例では９１．５g)される。次に、図６（ｄ）に示すように、電源等操作ボタン４を押すと（Ｓ７）、制御部７において風袋引き処理が行われ、容器Ａの重量を差し引いて重量の計測値が表示(この場合では、内容物がないので０g)される（Ｓ８）。
【００２６】
図６（ｅ）に示すように、例えばスプーンＳＰにより砂糖などの計測物ＳＧの一部を容器Ａに入れると（Ｓ９）、計測物ＳＧの一部の重量が制御部７において重量演算によってデータに変換され、そのデータが表示処理され、表示部３に表示(本例では９２．１g)される。このときに電源等操作ボタン４を押しても、制御部７において風袋引き処理が改めて行われることはなく、風袋引きで差し引く重量は変わらない（Ｓ１０）。
【００２７】
図６（ｆ）に示すように、容器Ａに計測物ＳＧの残り全てを入れると（Ｓ１１）、制御部７において計測物全ての重量が制御部７において重量演算によってデータに変換され、そのデータが表示処理され、表示部３に表示(本例では１６４．４g)される（Ｓ１２）。ここで電源等操作ボタン４を長押しすると、電源がオフとなる（Ｓ１３）。
【００２８】
なお、図６（ｇ）に示すように、図４のステップＳ５で風袋引きをせずに計測物を直接載置部１に載せると（Ｓ１４）、計測物ＯＲの重量が制御部７において重量演算によってデータに変換され、そのデータが表示処理され、表示部３に表示(本例では８２．７g)される（Ｓ１２）。
【００２９】
次に、図４と図５のフローチャートと、図７の使用状態の一連の流れの図によって、ごはんモードの作用について説明する。ごはんモードでは、まずごはん（白米）の重量を計測し、次に、ごはん（白米）の重量の計測値から熱量と炭水化物量を演算し、最後に前記ごはん（白米）の重量と熱量／炭水化物量が表示部３に表示される。
【００３０】
図７（ａ）に示すように、切り替えボタン５を押すと、制御部７によって、はかりモードとごはんモードとが切り替わる（Ｓ１）。図７（ｂ）に示すように、電源等操作ボタン４を押すと、ごはんモードで電源がオンになり（Ｓ２、Ｓ３のＮＯ、Ｓ１５）、載置部１に何も載っていない状態では、表示部３にはゼロの表示がされる。
【００３１】
まず、載置部１に容器Ｂのみを載せると、図７（ｃ）に示すように、容器Ｂの重量が制御部７おいて重量演算によってデータに変換され、そのデータが表示処理され、表示部３の右下に表示（本例では１１５ｇ）される（Ｓ１６）。
【００３２】
そして、図７（ｄ）に示すように、電源等操作ボタン４を押すと（Ｓ１７）、制御部７において風袋引き処理がなされ、容器Ｂの重量を差し引いた風袋引きによる重量の計測値が表示（本例では容器Ｂの重量を引いているのでゼロ「０」）される（Ｓ１８）。
【００３３】
ここで、図７（ｅ）に示すように、容器Ｂを載置部から外すと（Ｓ１９のＹＥＳ）、重量は負の表示となり、重量／熱量及び炭水化物量変換演算では熱量と炭水化物量は負の数となるが、制御部７において表示処理されて、負の表示を行わせずに、熱量と炭水化物量の表示は演算結果が不適切であることの表示（本例ではゼロ「０」）がされる（Ｓ２０）。
【００３４】
なお、演算結果が不適切であることの表示の例としては、ゼロ（０）、「不適」という文字、複数の横並びになっているハイフン（−−）などが挙げられる。
【００３５】
上記の状態から、図７（ｆ）に示すように、ごはんＲＣを容器Ｂに入れた後に（Ｓ２１）、容器Ｂを載置部１に載せると（Ｓ２２）、ごはん（白米）ＲＣの重量が制御部７において重量演算によってデータに変換され、そのデータを基に重量／熱量及び炭水化物量変換演算が行われる。
【００３６】
更に、上記重量のデータと上記演算結果のデータが表示処理され、ごはん（白米）ＲＣの重量（図７（ｆ）の右下：１６０ｇ）と熱量（図７（ｆ）の上：２６９ｋｃｌ）、炭水化物量（図７（ｆ）の左下：５９ｇ）が表示部３に表示される（Ｓ２３）。そして、電源等操作ボタン４を長押しすると電源がオフとなる（Ｓ１３）。
【００３７】
図４と図５のフローチャートと、図８の使用状態の一連の流れの図によって、容器Ｂを載置部から外さずにごはん（白米）ＲＣを容器Ｂに入れることを説明する。なお、この動作フローはステップ（Ｓ１９のＮＯ）からであって、ステップ（Ｓ１）〜（Ｓ３）、（Ｓ１５）〜（Ｓ１８）、図７（ａ）〜（ｄ）は既に説明したものと同様であって、説明は省略する。
【００３８】
すなわち、図８（ｅ）に示すように、しゃもじＳＨなどにより、計測するごはん（白米）ＲＣの一部を容器Ｂに入れると（Ｓ２４）、計測するごはん（白米）ＲＣの一部の重量が制御部７において重量演算によってデータに変換され、そのデータが重量／熱量及び炭水化物量変換演算される。
【００３９】
更に、上記重量のデータと上記演算結果のデータが表示処理され、重量（図８（ｅ）の右下：１４０ｇ）と熱量（図８（ｅ）の上：２３５ｋｃｌ）、炭水化物量（図７（ｆ）の左下：５１ｇ）が表示部３に表示され、このときに電源等操作ボタン４を押しても、制御部７において風袋引き処理が改めてなされることはなく、風袋引きで差し引く重量は変わらない（Ｓ２５）。
【００４０】
図８（ｆ）に示すように、計量するごはん（白米）ＲＣの残り全てを容器Ｂに入れると（Ｓ２６）、上記のごはん（白米）ＲＣの一部を入れたときと同様の手順で処理がなされ、計量するごはん（白米）ＲＣの重量（１６０ｇ）、熱量（２６９ｋｃｌ）、炭水化物量（５９ｇ）が表示部３に表示される（Ｓ２３）。
【００４１】
なお、前記実施形態における各部材の形状や配置設置などは、実施に際して仕様などに応じて適宜選択して決定する必要がある。
【産業上の利用可能性】
【００４２】
本発明は、各種の対象物の重量を計測して表示し、対象物の重量を基に対象物に属する各種の特定成分の量を演算し、表示する重量計測装置として有用である。
【符号の説明】
【００４３】
１      載置部
２      本体ケース
３      表示部
４      電源等操作ボタン
５      切換ボタン
６      計測部
７      制御部
Ａ、Ｂ  容器
ＳＧ    砂糖
ＳＰ    スプーン
ＯＲ    オレンジ
ＲＣ    ごはん（白米）
ＳＨ    しゃもじ